【手続補正書】
【提出日】平成18年12月27日(2006.12.27)
【手続補正１】
【補正対象書類名】特許請求の範囲
【補正対象項目名】全文
【補正方法】変更
【補正の内容】
【特許請求の範囲】
【請求項１】
通信システム中のワイヤレスターミナル（１０）をページングする方法において、
第１の時間フレーム中に第１のチャネルを通してページングインジケータメッセージを送信して、第２の時間フレーム中に第２のチャネルの監視を開始するか否かを決定するように前記ワイヤレスターミナル（１０）のグループに命令し、前記第２の時間フレームは前記第１の時間フレームと前記第２の時間フレームとの間に時間遅延を有することにより、前記第１の時間フレームに割り当てられることと、
前記ページングインジケータメッセージがページングメッセージを示している場合には、前記ページングメッセージを畳み込みコードでエンコーディングすることと、
前記第２の時間フレーム中に前記第２のチャネルを通して、前記エンコードされたページングメッセージを送信することとを含む方法。
【請求項２】
前記エンコーディングすることは、前記ページングメッセージを処理して、前記ワイヤレスターミナルのグループ中の前記ワイヤレスターミナル（１０）の１つを識別することを含む請求項１記載の方法。
【請求項３】
前記第１のチャネルを通して前記ページングインジケータメッセージを送信することは、前記第１の時間フレーム中に１回より多く前記ページングインジケータメッセージを反復することを含む請求項１記載の方法。
【請求項４】
前記第１のチャネルを通しての送信のために、前記ページングインジケータメッセージを第１のウォルシュチャネルコードで変調することと、
前記第２のチャネルを通しての送信のために、前記エンコードされたページングメッセージを第２のウォルシュチャネルコードで変調することとをさらに含む請求項１記載の方法。
【請求項５】
前記第１および第２のチャネルを通して送信するために、共通拡散ＰＮコードを使用することをさらに含む請求項４記載の方法。
【請求項６】
通信システム中のワイヤレスターミナル（１０）をページングする装置において、
ページングメッセージを畳み込みコードでエンコーディングするエンコーダ（６０）と、
第１の時間フレーム中に第１のチャネルを通してページングインジケータメッセージを送信して、第２の時間フレーム中に第２のチャネルの監視を開始するか否かを決定するように前記ワイヤレスターミナル（１０）のグループに命令し、前記第２の時間フレーム中に前記第２のチャネルを通して、前記エンコードされたページングメッセージを送信するように構成され、前記第２の時間フレームは前記第１の時間フレームと前記第２の時間フレームとの間に時間遅延を有することにより、前記第１の時間フレームに割り当てられる送信機システムとを具備する装置。
【請求項７】
前記送信機システムは、前記エンコードされたページングメッセージ中のワイヤレスターミナル識別子をエンコーディングして、前記ワイヤレスターミナルのグループ中の前記ワイヤレスターミナル（１０）の１つを識別するようにさらに構成されている請求項６記載の装置。
【請求項８】
前記送信機システムは、前記第１の時間フレーム中の送信において１回より多く前記ページングインジケータメッセージを反復するようにさらに構成されている請求項６記載の装置。
【請求項９】
前記送信機システムは、前記第１のチャネルを通しての送信のために、前記ページングインジケータメッセージを第１のウォルシュチャネルコードで変調し、前記第２のチャネルを通しての送信のために、前記エンコードされたページングメッセージを第２のウォルシュチャネルコードで変調する変調器システムをさらに備えている請求項６記載の装置。
【請求項１０】
前記送信機システムは、前記第１および第２のチャネルを通して送信する際に共通拡散ＰＮコードを使用するチャネル拡散器システムをさらに備えている請求項６記載の装置。
【請求項１１】
通信システム中のワイヤレスターミナル（１０）でページングを受信する方法において、
第１の時間フレーム中に、前記ワイヤレスターミナルのグループにより、第１のチャネルを監視して、ページングインジケータメッセージを受信し、第２の時間フレーム中に第２のチャネルの監視を開始するか否かを決定し、前記第２の時間フレームは前記第１の時間フレームと前記第２の時間フレームとの間に時間遅延を有することにより、前記第１の時間フレームに割り当てられることと、
少なくとも１つのページングインジケータメッセージが前記第１の時間フレーム中に前記第１のチャネルを通して受信された場合には、前記第２の時間フレーム中に前記第２のチャネルを監視して、畳み込みエンコードされたページングメッセージを受信することとを含む方法。
【請求項１２】
前記第２の時間フレーム中に前記第２のチャネルを通して前記畳み込みエンコードされたページングメッセージを受信することと、
前記畳み込みエンコードされたページングメッセージを畳み込みコードでデコーディングすることとをさらに含む請求項１１記載の方法。
【請求項１３】
通信システム中のワイヤレスターミナル（１０）でページングを受信する装置において、
第１および第２のチャネルを通して受信されたメッセージを処理するように構成された受信機（３００）と、
第１の時間フレーム中に前記第１のチャネルを監視してページングインジケータメッセージを受信し、少なくとも１つのページングインジケータメッセージが前記第１の時間フレーム中に受信されたか否かを決定するように、前記受信機（３００）に命令するように構成されたコントローラ（３０８）とを具備し、
少なくとも１つのページングインジケータメッセージが受信された場合には、前記コントローラ（３０８）は、畳み込みエンコードされたページングメッセージを受信するために、前記第２の時間フレーム中に前記第２のチャネルの監視を開始するように前記受信機（３００）に命令するようにさらに構成され、前記第１の時間フレームは前記ワイヤレスターミナルのグループに関連付けられ、前記第２の時間フレームは前記第１の時間フレームと前記第２の時間フレームとの間に時間遅延を有することにより、前記第１の時間フレームに割り当てられる装置。
【請求項１４】
前記受信機は、前記畳み込みエンコードされたページングメッセージをデコーディングするように構成されているデコーダをさらに備えている請求項１３記載の装置。
【手続補正２】
【補正対象書類名】明細書
【補正対象項目名】００３４
【補正方法】変更
【補正の内容】
【００３４】
本発明の好ましい実施形態では、クイックページングメッセージはＩＮＣＯＭＭＩＮＧ＿ＰＡＧＥビットから構成される。第１の状態（論理がハイのような）におけるＩＮＣＯＭＭＩＮＧ＿ＰＡＧＥビットは、そのクイックページングスロットに関連づけられたワイヤレスターミナル１０の１つに対する通信要求が受信されたこと、従って、これらワイヤレスターミナルは次の指定されたフルページングスロット間にフルページングチャネルを処理すべきことを示している。第２の状態（論理がローのような）におけるＩＮＣＯＭＭＩＮＧ＿ＰＡＧＥビットは、それらワイヤレスターミナルに対する何の通信要求も受信されておらず、従ってフルページングチャネルは次に割り当てられたフルページングスロット間に処理されるべきでないことを示している。従って、ページは実質的により多いビット数というよりむしろ単一のビットにより表され、従って、より少ないリソースで処理され得るため、クイックページングメッセージはフルページングメッセージよりも少なくエンコードされる。このような“メッセージ”エンコードは、より多くのエンコーディングがより多くのデータ処理リソースを必要とし、従って電力消費の面でより望ましくないような、以下で説明される“チャネル”コーディングと混同されるべきでない。
【手続補正３】
【補正対象書類名】図面
【補正対象項目名】図４
【補正方法】変更
【補正の内容】
【図４】
2004328772.tif 000001